(57)【要約】【課題】  電源電池の寿命を長くし、電源電池の保守点検に要する作業量を低減するプロセスシステム構成機器作動状態情報提供装置の提供。【解決手段】  作動状態情報提供装置１００のＣＰＵ１００ａは、センサ制御回路１００ｃを介してセンサ１００ｄから今回取得作動状態情報を取得すると（Ｓ４０１）、メモリ１００ｂから前回取得作動状態情報を取得し（Ｓ４０５）、今回取得作動状態情報と前回取得作動状態情報との差を算出し（Ｓ４０７）、今回取得作動状態情報と前回取得作動状態情報との差が所定範囲に含まれないと判断すると（Ｓ４０９）、電源制御回路１００ｅを介して通信回路１００ｇに電力を供給し（Ｓ４１１）、メモリ１００ｂに記憶している全ての作動状態情報及び今回取得作動状態情報を、サーバ装置ＳＶへ送信し（Ｓ４１３）、サーバ装置ＳＶへの送信終了後、通信回路１００ｇへの電力の供給を終了する（Ｓ４１５）。【選択図】  図４
2015176508.tif 000002
【特許請求の範囲】
【請求項１】
プロセスシステム構成機器の作動状態を示す作動状態情報を外部に提供するプロセスシステム構成機器作動状態情報提供装置であって、
前記作動状態情報を取得する作動状態情報取得手段、
前記作動状態情報を記憶手段に記憶する記憶制御手段、
前記記憶手段に記憶している前記作動状態情報を外部に提供するか否かを判断するための提供条件を満たしているか否かを判断する提供条件判断手段、
電力の供給があると、前記記憶手段に記憶している前記作動状態情報を外部に提供する作動状態情報提供手段、
前記提供条件を満たしている場合に、前記作動状態情報提供手段に前記電力を供給する電力供給手段、
を有し
前記提供条件判断手段は、
今回に取得した前記作動状態情報を今回取得作動状態情報とし、前回に取得した前記作動状態情報を前回取得作動状態情報として、前記今回取得作動状態情報の値と前記前回取得作動状態情報の値との差が、所定の範囲以上であるか否か、又は、所定の範囲を超えるか否かを前記提供条件とすること、
を特徴とするプロセスシステム構成機器作動状態情報提供装置。
【請求項２】
請求項１に係るプロセスシステム構成機器作動状態情報提供装置において、
前記提供条件判断手段は、
前記今回取得作動状態情報として、今回に取得した前記作動状態情報及び前記記憶手段に記憶している一又は複数の前記作動状態情報を用い、前記前回取得作動状態情報として、前記記憶手段に記憶している複数の前記作動状態情報を用いること、
を特徴とするプロセスシステム構成機器作動状態情報提供装置。
【請求項３】
プロセスシステム構成機器の作動状態を示す作動状態情報を外部に提供する作動状態情報提供装置であって、
前記作動状態情報を取得する作動状態情報取得手段、
前記作動状態情報を記憶手段に記憶する記憶制御手段、
前記記憶手段に記憶している前記作動状態情報を外部に提供するか否かを判断するための提供条件を満たしているか否かを判断する提供条件判断手段、
電力の供給があると、前記記憶手段に記憶している前記作動状態情報を外部に提供する作動状態情報提供手段、
前記提供条件を満たしている場合に、前記作動状態情報提供手段に前記電力を供給する電力供給手段、
を有し、
前記提供条件判断手段は、
今回に取得した前記作動状態情報を今回取得作動状態情報として、前記今回取得作動状態情報の値と、前記作動状態情報の所定の範囲を示す基準作動状態情報の値との差が、所定の範囲以上であるか否か、又は、所定の範囲を超えるか否かを前記提供条件とすること、
を特徴とするプロセスシステム構成機器作動状態情報提供装置。
【請求項４】
プロセスシステム構成機器の作動状態を示す作動状態情報を外部に提供する作動状態情報提供装置であって、
前記作動状態情報を取得する作動状態情報取得手段、
前記作動状態情報を記憶手段に記憶する記憶制御手段、
前記記憶手段に記憶している前記作動状態情報を外部に提供するか否かを判断するための提供条件を満たしているか否かを判断する提供条件判断手段、
電力の供給があると、前記記憶手段に記憶している前記作動状態情報を外部に提供する作動状態情報提供手段、
前記提供条件を満たしている場合に、前記作動状態情報提供手段に前記電力を供給する電力供給手段、
を有し、
前記提供条件判断手段は、
取得した前記作動状態情報の件数を取得情報量として、前記取得情報量が、予め定められた前記作動状態情報の件数を示す基準情報量に到達するか否かを前記提供条件とすること、
を特徴とするプロセスシステム構成機器作動状態情報提供装置。
【請求項５】
請求項４に係るプロセスシステム構成機器作動状態情報提供装置において、
前記提供条件判断手段は、
前記取得情報量として、取得した前記作動状態情報の情報量を用い、前記基準情報量として、所定の情報量を用いること、
を特徴とするプロセスシステム構成機器作動状態情報提供装置。
【発明の詳細な説明】
【技術分野】
【０００１】
本発明は、化学や電力等の分野における各種プラントのプロセスを制御するプロセスシステムにおいて、プロセスシステム構成機器の作動状態を提供するプロセスシステム構成機器作動状態情報提供装置に関し、特に、保守点検作業量を低減するものに関する。
【背景技術】
【０００２】
従来のプロセスシステム構成機器作動状態情報提供装置について、工場やプラントなどに配備される複数の機器（例えば、蒸気トラップに代表される弁類やポンプに代表される流体機器など）を監視する機器監視システム（図７参照）に用いられる所定の端末器を例に説明する。端末器は、機器状態検出用のセンサを装備するとともに、周期的な無線通信によりセンサ検出情報を中央管理装置に送るものである。従来、この種の機器監視システムでは、複数の端末器の夫々が中央管理装置との通信処理につき、端末器の夫々が接続センサ検出情報の入力処理に続いて中央管理装置との通信処理を行なうようにする場合、端末器の夫々がそれら入力処理とそれに続く通信処理との一連の処理につき、図８に示す如く、前回の一連処理の開始から次回の一連処理の開始に至るまでの時間Ｔ′（すなわち、一連処理の周期）を基準にして、互いに等しい処理周期Ｔ′で各回の一連処理を行なうようにしていた。（以上、特許文献１参照）。
【先行技術文献】
【特許文献】
【０００３】
【特許文献１】特開２００３−１３１７０７号公報
【発明の概要】
【発明が解決しようとする課題】
【０００４】
前述の端末器には、以下に示すような改善すべき点がある。端末器は、自らの構成要素を駆動するための電源を有しており、この電源を用いて、各種処理を実行している。端末器は、接続センサ検出情報の入力があると、通信処理を実行する。このため、端末器において接続センサ検出情報の取得回数が多くなると、通信処理に要する電力消費が大きくなり、ひいては電源の寿命が短くなり、端末器の保守点検の作業が頻繁に発生する、という改善すべき点がある。前述の機器監視システムには多数の端末器が存在するため、個々の端末器で頻繁に保守点検作業が発生すると、機器監視システムとしての保守点検作業が膨大となる。
【０００５】
そこで、本発明は、電源電池の寿命を長くし、電源電池の保守点検に要する作業量を低減するプロセスシステム構成機器作動状態情報提供装置を提供することを目的とする。
【発明の効果】
【０００６】
本発明における課題を解決するための手段及び発明の効果を以下に示す。
【０００７】
本発明に係るプロセスシステム構成機器作動状態情報提供装置は、プロセスシステム構成機器の作動状態を示す作動状態情報を外部に提供するプロセスシステム構成機器作動状態情報提供装置であって、前記作動状態情報を取得する作動状態情報取得手段、前記作動状態情報を記憶手段に記憶する記憶制御手段、前記記憶手段に記憶している前記作動状態情報を外部に提供するか否かを判断するための提供条件を満たしているか否かを判断する提供条件判断手段、電力の供給があると、前記記憶手段に記憶している前記作動状態情報を外部に提供する作動状態情報提供手段、前記提供条件を満たしている場合に、前記作動状態情報提供手段に前記電力を供給する電力供給手段、を有し、前記提供条件判断手段は、今回に取得した前記作動状態情報を今回取得作動状態情報とし、前回に取得した前記作動状態情報を前回取得作動状態情報として、前記今回取得作動状態情報の値と前記前回取得作動状態情報の値との差が、所定の範囲以上であるか否か、又は、所定の範囲を超えるか否かを前記提供条件とすること、を特徴とする。
【０００８】
これにより、今回取得作動状態情報の値が、前回取得作動状態情報の値から離れた場合、つまり、プロセスシステム構成機器の作動状態が前回までの安定状態から離れた場合に、記憶している作動状態情報を送信することができる。よって、プロセスシステム構成機器の異常状態を知らせることができる。
【０００９】
また、今回取得作動状態情報の値が、前回取得作動状態情報の値から離れた場合は記憶している作動状態情報を送信しないようにすることができるので、送信回数を低減でき、電源電池の寿命を長くし、電源電池の保守点検に要する作業量を低減することができる。
【００１０】
本発明に係るプロセスシステム構成機器作動状態情報提供装置では、前記提供条件判断手段は、前記今回取得作動状態情報として、今回に取得した前記作動状態情報及び前記記憶手段に記憶している一又は複数の前記作動状態情報を用い、前記前回取得作動状態情報として、前記記憶手段に記憶している複数の前記作動状態情報を用いること、を特徴とする。
【００１１】
これにより、複数の作動状態情報の平均値に基づき、記憶している作動状態情報を送信するか否かを判断できる。よって、ある特別な事情により発生した作動状態情報の影響を低減することができ、より正確にプロセスシステム構成機器の異常状態を知らせることができる。
【００１２】
また、ある特別な事情により発生した作動状態情報の影響を低減することができるので、作動状態情報の送信回数を低減でき、電源電池の寿命を長くし、電源電池の保守点検に要する作業量を低減することができる。
【００１３】
本発明に係るプロセスシステム構成機器作動状態情報提供装置は、プロセスシステム構成機器の作動状態を示す作動状態情報を外部に提供する作動状態情報提供装置であって、前記作動状態情報を取得する作動状態情報取得手段、前記作動状態情報を記憶手段に記憶する記憶制御手段、前記記憶手段に記憶している前記作動状態情報を外部に提供するか否かを判断するための提供条件を満たしているか否かを判断する提供条件判断手段、電力の供給があると、前記記憶手段に記憶している前記作動状態情報を外部に提供する作動状態情報提供手段、前記提供条件を満たしている場合に、前記作動状態情報提供手段に前記電力を供給する電力供給手段、を有し、前記提供条件判断手段は、今回に取得した前記作動状態情報を今回取得作動状態情報として、前記今回取得作動状態情報の値と、前記作動状態情報の所定の範囲を示す基準作動状態情報の値との差が、所定の範囲以上であるか否か、又は、所定の範囲を超えるか否かを前記提供条件とすること、を特徴とする。
【００１４】
これにより、今回取得作動状態情報の値が、基準作動状態情報の値から離れた場合、つまり、プロセスシステム構成機器の作動状態が基準とする安定状態から離れた場合に、記憶している作動状態情報を送信することができる。よって、プロセスシステム構成機器の異常状態を知らせることができる。
【００１５】
また、今回取得作動状態情報の値が、基準作動状態情報の値から離れていない場合は記憶している作動状態情報を送信しないようにすることにより、送信回数を低減でき、電源電池の寿命を長くし、電源電池の保守点検に要する作業量を低減することができる。
【００１６】
本発明に係るプロセスシステム構成機器作動状態情報提供装置は、プロセスシステム構成機器の作動状態を示す作動状態情報を外部に提供する作動状態情報提供装置であって、前記作動状態情報を取得する作動状態情報取得手段、前記作動状態情報を記憶手段に記憶する記憶制御手段、前記記憶手段に記憶している前記作動状態情報を外部に提供するか否かを判断するための提供条件を満たしているか否かを判断する提供条件判断手段、電力の供給があると、前記記憶手段に記憶している前記作動状態情報を外部に提供する作動状態情報提供手段、前記提供条件を満たしている場合に、前記作動状態情報提供手段に前記電力を供給する電力供給手段、を有し、前記提供条件判断手段は、取得した前記作動状態情報の件数を取得情報量として、前記取得情報量が、予め定められた前記作動状態情報の件数を示す基準情報量に到達するか否かを前記提供条件とすること、を特徴とする。
【００１７】
これにより、今回までに取得した作動状態情報の件数が、基準とする件数に到達していない場合は記憶している作動状態情報を送信しないようにできるので、送信回数を低減でき、電源電池の寿命を長くし、電源電池の保守点検に要する作業量を低減することができる。
【００１８】
本発明に係るプロセスシステム構成機器作動状態情報提供装置では、前記提供条件判断手段は、前記取得情報量として、取得した前記作動状態情報の情報量を用い、前記基準情報量として、所定の情報量を用いること、を特徴とする。
【００１９】
これにより、今回までに取得した作動状態情報の情報量が、基準とする情報量に到達していない場合は記憶している作動状態情報を送信しないようにできるので、送信回数を低減でき、電源電池の寿命を長くし、電源電池の保守点検に要する作業量を低減することができる。
【００２０】
ここで、特許請求の範囲における構成要素と、実施例における構成要素との対応関係を示す。特許請求の範囲における「プロセスシステム構成機器作動状態情報提供装置」は、実施例における「トラップ作動状態取得装置１００」、「トラップ作動状態取得装置２００」、「トラップ作動状態取得装置３００」に対応する。また、特許請求の範囲における「プロセスシステム構成機器」は、実施例における「スチームトラップＴ」に対応する。
【００２１】
また、特許請求の範囲における「作動状態情報取得手段」は、「ＣＰＵ１００ａ」、「センサ制御回路１００ｃ」、及び「センサ１００ｄ」に対応する。特許請求の範囲における「記憶制御手段」は、「ＣＰＵ１００ａ」に対応する。特許請求の範囲における「提供条件判断手段」は、「ＣＰＵ１００ａ」に対応する。特許請求の範囲における「作動状態情報提供手段」は、「ＣＰＵ１００ａ」、「メモリ１００ｂ」、及び、「通信回路１００ｇ」に対応する。特許請求の範囲における「電力供給手段」は、「ＣＰＵ１００ａ」、「電源制御回路１００ｅ」、及び、「電池１００ｆ」に対応する。
【図面の簡単な説明】
【００２２】
【図１】本発明に係るプロセスシステム構成機器状態提要装置の一実施例であるトラップ作動状態提供装置１００を用いるトラップ作動状態監視システムＭの構成を示す図である。
【図２】トラップ作動状態提供装置１００のハードウェア構成を示す図である。
【図３】トラップ作動状態提供装置１００の外観構成を示す図である。
【図４】トラップ作動状態提供装置１００の動作を示すフローチャートである。
【図５】トラップ作動状態提供装置２００の動作を示すフローチャートである。
【図６】トラップ作動状態取得装置３００の動作を示すフローチャートである。
【図７】従来のプラントシステム構成機器状態情報取得装置を示す図である。
【図８】従来のプラントシステム構成機器状態情報取得装置を示す図である。
【発明を実施するための形態】
【００２３】
以下、本発明の実施例について、図面を参照しながら詳細に説明していく。本発明に係るプロセスシステム構成機器作動情報提供装置の一実施例として、蒸気システムに用いられるスチームトラップの作動状態を提供するトラップ作動状態提供装置について説明する。
【実施例１】
【００２４】
トラップ作動状態提供装置１００は、プロセスシステムにおけるスチームトラップＴの作動状態を監視し、スチームトラップＴの保守点検に用いられる。ここで、作動状態情報提供装置１００を用いるトラップ作動状態監視システムＭについて、図１を用いて説明する。トラップ作動状態監視システムＭは、工場やプラント等に形成されるプロセスシステムに分散配備される多数のスチームトラップＴの作動状態を、無線通信を用いて監視する監視システムである。トラップ作動状態監視システムＭは、作動状態情報提供装置１００、中継装置Ｒ、及び、サーバ装置ＳＶを有している。
【００２５】
中継装置Ｒは、作動状態情報提供装置１００、サーバ装置ＳＶの通信を中継し、作動状態情報提供装置１００とサーバ装置ＳＶとの間の相互通信を可能とする。サーバ装置ＳＶは、作動状態情報提供装置１００から作動状態情報を取得し、各スチームトラップＴの作動状態を判断する。サーバ装置ＳＶは、作動状態が適当でないと判断したスチームトラップＴに対して、例えば、保守点検作業を実施するように、使用者に警告を発する。
【００２６】
作動状態情報提供装置１００は、プロセスシステムを構成する各スチームトラップＴに設置される。トラップ作動状態提供装置１００は、スチームトラップＴの作動状態を取得し、取得した作動状態を提供するものである。なお、トラップ作動状態提供装置１００を図１に示す減圧弁ＧやバルブＶ等に取り付けることにより、トラップ作動状態提供装置１００を用いてトラップ以外の機器の作動状態を監視することもできる。
【００２７】
第１  トラップ作動状態提供装置１００のハードウェア構成
トラップ作動状態提供装置１００は、スチームトラップＴの作動状態を取得するものである。トラップ作動状態提供装置１００のハードウェア構成について図２を用いて説明する。トラップ作動状態提供装置１００は、ＣＰＵ１００ａ、メモリ１００ｂ、センサ制御回路１００ｃ、センサ１００ｄ、電源制御回路１００ｅ、電池１００ｆ、及び、通信回路１００ｇを有している。
【００２８】
ＣＰＵ１００ａは、メモリ１００ｂに記録されているオペレーティング・システム（ＯＳ）、作動状態情報提供プログラム等その他のアプリケーションに基づいた処理を行う。メモリ１００ｂは、ＣＰＵ１００ａに対して作業領域を一時的に提供する。また、メモリ１００ｂは、オペレーティング・システム（ＯＳ）、作動状態情報提供プログラム等その他のアプリケーションを記録保持する。さらに、メモリ１００ｂは、作動状態情報提供プログラムを実行する際に必要となる各種情報を記録保持する。
【００２９】
センサ制御回路１００ｃは、センサ１００ｄが取得したセンサ値を作動状態情報として取得する。また、センサ制御回路１００ｃは、作動状態情報を取得したことを示す作動状態情報取得信号を、ＣＰＵ１００ａに送信する。さらに、センサ制御回路１００ｃは、取得した作動状態情報をメモリ１００ｂに記憶保持する。
【００３０】
センサ１００ｄは、スチームトラップＴから各種の状態を取得する。例えば、温度に関するセンサ１００ｄは、スチームトラップＴの温度、例えば、筐体の温度を取得し、センサ値として出力する。また、例えば、振動に関するセンサ１００ｄは、筐体に発生している振動を取得し、スチームトラップＴの圧力を示すセンサ値として出力する。なお、センサ１００ｄは、スチームトラップＴの作動状態を取得できるもの、例えば温度センサ、圧力センサ、振動センサ、であれば特に限定されず、取得する作動状態の種類に従って、適宜、選択して配置される。
【００３１】
電源制御回路１００ｅは、電池１００ｆから供給を受ける電力を制御し、ＣＰＵ１００ａ、通信回路１００ｇを含む各構成要素へ電力を供給する。電池１００ｆは、処置容量の電力を蓄積する。電池１００ｆとしては、例えば、乾電池を用いる。通信回路１００ｇは、外部機器とデータの送受信を行う。
【００３２】
第２  トラップ作動状態提供装置１００の外観構成
トラップ作動状態提供装置１００の外観構成の一例について図３を用いて説明する。トラップ作動状態提供装置１００は、回路収納部１０１、軸部１０３、及び、固定部１０５を有している。
【００３３】
回路収納部１０１は、前述のハードウェア構成が収納されている。回路収納部１０１は、軸部１０３を介して、スチームトラップＴから所定の距離だけ離れた位置に配置される。これにより、回路収納部１０１の内部に収納されているハードウェア構成を、スチームトラップＴが発する熱から保護することができる。
【００３４】
軸部１０３は、所定の長さを有する棒状体である。軸部１０３の内部には、センサ１００ｄの一部が収納される。軸部１０３は、一端面Ｐ１０３がスチームトラップＴの接触面ＰＴに接するように配置される。これにより、例えば、センサ１００ｄが、スチームトラップＴの温度を取得するものである場合、センサ１００ｄが有する熱電対を端面Ｐ１０３近傍に配置することによって、端面Ｐ１０３を介して、スチームトラップＴの温度を取得することができる。
【００３５】
固定部１０５は、Ｕ字状の本体部１０５ａ、固定ボルト１０５ｃ、及び、固定ナット１０５ｂを有している。固定部１０５は、本体部１０５ａがスチームトラップＴの突出部Ｔ１に沿って配置され、本体部１０５ａの端部同士が固定ボルト１０５ｃ及び固定ナット１０５ｂを用いて締結されることによって、スチームトラップＴの突出部Ｔ１に固定され、ひいては、回路収納部１０１及び軸部１０３を、スチームトラップＴに固定する。
【００３６】
第３  トラップ作動状態提供装置１００の動作
作動状態情報提供装置１００のＣＰＵ１００ａの動作について、図４に示すフローチャートを用いて説明する。ＣＰＵ１００ａは、センサ制御回路１００ｃを介してセンサ１００ｄから作動状態情報（以下、今回取得作動状態情報とする）を取得すると（Ｓ４０１）、メモリ１００ｂに、既に作動状態情報が記憶されているか否かを判断する（Ｓ４０３）。ＣＰＵ１００ａは、メモリ１００ｂに既に作動状態情報が記憶されていると判断すると、取得時間が今回取得作動状態情報の取得時間と最も近い作動状態情報を前回取得作動状態情報として取得する（Ｓ４０５）。
【００３７】
ＣＰＵ１００ａは、今回取得作動状態情報と前回取得作動状態情報との差を算出する（Ｓ４０７）。ＣＰＵ１００ａは、今回取得作動状態情報と前回取得作動状態情報との差が所定範囲に含まれないと判断すると（Ｓ４０９）、電源制御回路１００ｅを介して通信回路１００ｇに電力を供給する（Ｓ４１１）。ＣＰＵ１００ａは、メモリ１００ｂに記憶している全ての作動状態情報及び今回取得作動状態情報を、通信回路１００ｇを介して、サーバ装置ＳＶへ送信する（Ｓ４１３）。ＣＰＵ１００ａは、サーバ装置ＳＶへの送信終了後、電源制御回路１００ｅを介して通信回路１００ｇへの電力の供給を終了する（Ｓ４１５）。そして、ＣＰＵ１００ａは、メモリ１００ｂに記憶している作動状態情報を消去する（Ｓ４１７）。ＣＰＵ１００ａは、今回取得作動状態情報を取得した時間と関連づけてメモリ１００ｂに記憶保持する（Ｓ４１９）。
【００３８】
ＣＰＵ１００ａは、ステップＳ４０９において、今回取得作動状態情報と前回取得作動状態情報との差が所定範囲に含まれていると判断すると、今回取得作動状態情報を取得した時間と関連づけてメモリ１０２に記憶保持する（Ｓ４１９）。また、ＣＰＵ１００ａは、ステップＳ４０３において、メモリ１００ｂに作動状態情報が記憶されていないと判断すると、今回取得作動状態情報を取得した時間と関連づけてメモリ１００ｂに記憶保持する（Ｓ４１９）。
【００３９】
これにより、今回取得作動状態情報のセンサ値が、前回取得作動状態情報のセンサ値から離れた場合、つまり、スチームトラップＴの作動状態が前回までの安定状態から離れた場合に、メモリ１００ｂに記憶している作動状態情報を送信することができる。よって、スチームトラップＴの異常状態を知らせることができる。
【００４０】
また、今回取得作動状態情報のセンサ値が、前回取得作動状態情報のセンサ値から離れた場合にのみ、メモリ１００ｂに記憶している作動状態情報を送信するので、作動状態情報の送信回数を低減でき、電池１００ｆの寿命を長くし、電池１００ｆの保守点検に要する作業量を低減することができる。
【実施例２】
【００４１】
前述の実施例１に係るトラップ作動状態提供装置１００は、今回取得作動状態情報と前回取得作動状態情報との差を算出し、今回取得作動状態情報と前回取得作動状態情報との差が所定範囲に含まれない場合に、通信回路１００ｇに電力を供給し、前回取得作動状態情報等をサーバ装置ＳＶに送信することによって、電池１００ｆの電力消費を低減し、従来よりも長い電池交換期間を実現するものであった。一方、本実施例おける作動状態情報提供装置２００は、今回取得作動状態情報が所定の範囲内にない場合に、通信回路１００ｇに電力を供給し、前回取得作動状態情報等をサーバ装置ＳＶに送信するものである。
【００４２】
なお、本実施例における作動状態情報提供装置２００のハードウェア構成及び外観構成は、実施例１における作動状態情報提供装置１００と同様であるため、詳細な記述を省略するとともに、作動状態情報提供装置１００と同じ構成については、同様の符号を用いる。
【００４３】
第１  トラップ作動状態提供装置２００の動作
作動状態情報提供装置２００のＣＰＵ１００ａの動作について、図５に示すフローチャートを用いて説明する。ＣＰＵ１００ａは、センサ制御回路１００ｃを介してセンサ１００ｄから作動状態情報（以下、今回取得作動状態情報とする）を取得すると（Ｓ４０１）、メモリ１００ｂに記憶されている基準作動状態情報を取得する（Ｓ５０５）。ここで、基準作動状態情報とは、センサ１０２ｄ毎に予め定められたセンサ値の範囲であり、センサ１００ｄが正常に動作しているか否かの判断の基準となるものである。
【００４４】
ＣＰＵ１００ａは、今回取得作動状態情報が基準作動状態情報の範囲に含まれないと判断すると（Ｓ５０９）、電源制御回路１００ｅを介して通信回路１００ｇに電力を供給する（Ｓ４１１）。ＣＰＵ１００ａは、メモリ１００ｂに記憶している全ての作動状態情報及び今回取得作動状態情報を、通信回路１００ｇを介して、サーバ装置ＳＶへ送信する（Ｓ４１３）。ＣＰＵ１００ａは、サーバ装置ＳＶへの送信終了後、電源制御回路１００ｅを介して通信回路１００ｇへの電力の供給を終了する（Ｓ４１５）。そして、ＣＰＵ１００ａは、メモリ１００ｂに記憶している作動状態情報を消去する（Ｓ４１７）。
【００４５】
ＣＰＵ１００ａは、ステップＳ５０９において、今回取得作動状態情報が基準作動状態情報の範囲に含まれていると判断すると、今回取得作動状態情報を取得した時間と関連づけてメモリ１０２に記憶保持する（Ｓ４１９）。
【００４６】
これにより、今回取得作動状態情報のセンサ値が、基準作動状態情報に定められたセンサ値の範囲から離れた場合、つまり、スチームトラップＴの作動状態が基準とする安定状態から離れた場合に、メモリ１００ｂに記憶している作動状態情報を送信することができる。よって、スチームトラップＴの異常状態を知らせることができる。
【００４７】
また、今回取得作動状態情報のセンサ値が、基準作動状態情報のセンサ値の範囲から離れた場合にのみ、メモリ１００ｂに記憶している作動状態情報を送信するので、作動状態情報の送信回数を低減でき、電池１００ｆの寿命を長くし、電池１００ｆの保守点検に要する作業量を低減することができる。
【実施例３】
【００４８】
前述の実施例１に係るトラップ作動状態提供装置１００は、今回取得作動状態情報と前回取得作動状態情報との差を算出し、今回取得作動状態情報と前回取得作動状態情報との差が所定範囲に含まれない場合に、通信回路１００ｇに電力を供給し、前回取得作動状態情報等をサーバ装置ＳＶに送信することによって、電池１００ｆの電力消費を低減し、従来よりも長い電池交換期間を実現するものであった。一方、本実施例おける作動状態情報提供装置３００は、今回までに取得した作動状態情報の記憶件数が基準件数に到達している場合に、通信回路１００ｇに電力を供給し、記憶している全ての取得作動状態情報等をサーバ装置ＳＶに送信するものである。
【００４９】
なお、本実施例における作動状態情報提供装置３００のハードウェア構成及び外観構成は、実施例１における作動状態情報提供装置１００と同様であるため、詳細な記述を省略するとともに、作動状態情報提供装置１００と同じ構成については、同様の符号を用いる。
【００５０】
第１  トラップ作動状態提供装置３００の動作
作動状態情報提供装置３００のＣＰＵ１００ａの動作について、図６に示すフローチャートを用いて説明する。ＣＰＵ１００ａは、センサ制御回路１００ｃを介してセンサ１００ｄから作動状態情報（以下、今回取得作動状態情報とする）を取得すると（Ｓ４０１）、メモリ１００ｂに記憶されている基準件数を取得する（Ｓ５０５）。ここで、基準件数とは、予め定められたメモリ１０２に記憶する作動状態情報の件数である。
【００５１】
ＣＰＵ１００ａは、メモリ１００ｂに記憶している作動状態情報の件数を記憶件数として算出する（Ｓ６０７）。ＣＰＵ１００ａは、記憶件数が基準件数に到達していると判断すると（Ｓ６０９）、電源制御回路１００ｅを介して通信回路１００ｇに電力を供給する（Ｓ４１１）。ＣＰＵ１００ａは、メモリ１００ｂに記憶している全ての作動状態情報及び今回取得作動状態情報を、通信回路１００ｇを介して、サーバ装置ＳＶへ送信する（Ｓ４１３）。ＣＰＵ１００ａは、サーバ装置ＳＶへの送信終了後、電源制御回路１００ｅを介して通信回路１００ｇへの電力の供給を終了する（Ｓ４１５）。そして、ＣＰＵ１００ａは、メモリ１００ｂに記憶している作動状態情報を消去する（Ｓ４１７）。
【００５２】
ＣＰＵ１００ａは、ステップＳ６０９において、記憶件数が基準件数に到達していないと判断すると、今回取得作動状態情報を取得した時間と関連づけてメモリ１０２に記憶保持する（Ｓ４１９）。
【００５３】
これにより、今回までに取得した作動状態情報の件数が、基準件数に到達した場合に、メモリ１００ｂに記憶している作動状態情報を送信することができる。よって、作動状態情報の送信回数を低減でき、電池１００ｆの寿命を長くし、電池１００ｆの保守点検に要する作業量を低減することができる。
【００５４】
［他の実施例］
（１）プロセスシステム構成機器：前述の実施例１においては、プロセスシステム構成機器としてスチームトラップを示したが、プロセスシステム構成機器であれば、例示のものに限定されない。例えば、ポンプ、減圧弁、セパレータ、フィルタ等の各種流体制御機器であってもよい。
【００５５】
（２）今回取得作動状態情報と前回取得作動状態情報との差の算出：前述の実施例１においては、一つの今回取得作動状態情報と一つの前回取得作動状態情報との差を算出することによって作動状態を判断したが、今回取得作動状態情報及びメモリ１００ｂに記憶している複数の作動状態情報のセンサ値の平均値と、前回取得作動状態情報を含めメモリ１００ｂに記憶している複数の作動状態情報のセンサ値の平均値との差を算出することによって作動状態を判断するようにしてもよい。これにより、複数の作動状態情報の平均値に基づき、記憶している作動状態情報を送信するか否かを判断できるので、ある特別な事情により発生した作動状態情報の影響を低減することができる。つまり、より正確にプロセスシステム構成機器の異常状態を知らせることができる。
【００５６】
また、ある特別な事情により発生した作動状態情報の影響を低減することができるので、作動状態情報の送信回数を低減でき、電源電池の寿命を長くし、電源電池の保守点検に要する作業量を低減することができる。
【００５７】
（３）今回取得作動状態情報と基準作動状態との差の算出：前述の実施例２においては、一つの今回取得作動状態情報と基準作動状態情報との差を算出することによって作動状態を判断したが、今回取得作動状態情報及びメモリ１００ｂに記憶している複数の作動状態情報のセンサ値の平均値と、基準作動状態情報のセンサ値との差を算出することによって作動状態を判断するようにしてもよい。これにより、複数の作動状態情報の平均値に基づき、記憶している作動状態情報を送信するか否かを判断できるので、ある特別な事情により発生した作動状態情報の影響を低減することができる。つまり、より正確にプロセスシステム構成機器の異常状態を知らせることができる。
【００５８】
（４）基準件数：前述の実施例３においては、今回までに取得した作動状態情報の件数と基準件数とを比較して、作動状態情報の送信の可否を判断したが、今回までに取得した作動状態情報のデータ量と基準データ量とを比較して、作動状態情報の送信の可否を判断するようにしてもよい。これにより、作動状態情報を記憶保持するメモリ１００ｂの容量に基づいて、作動状態情報の送信可否を判断できる。
【００５９】
（５）作動状態情報提供装置１００のハードウェア構成：前述の実施例１に係る作動状態情報提供装置１００においては、ＣＰＵ１００ａを用いて図４のフローチャートに示す処理を実行するとしたが、所定の複数のロジック回路を組み合わせることによって、図４のフローチャートに示す処理を実行するようにしもよい。実施例２に係る作動状態情報提供装置２００、実施例３に係る作動状態情報提供装置３００についても同様である。
【００６０】
（６）フローチャート：前述の実施例１〜３における各種フローチャートの処理内容やその処理順序は、その目的を達成できるものであれば、例示のものに限定されない。
【００６１】
（７）上記実施例において説明した構成の一部または全部を、２以上組み合わせた構成としてもよい。
【産業上の利用可能性】
【００６２】
本発明に係るプロセスシステム構成機器作動状態情報提供は、例えば、蒸気プラントにおいてスチームトラップの作動状態を監視するトラップ作動状態監視システムに利用することができる。
【符号の説明】
【００６３】
１００・・・・・トラップ作動状態提供装置
１００ａ・・・ＣＰＵ
１００ｂ・・・メモリ
１００ｃ・・・センサ制御回路
１００ｄ・・・センサ
１００ｅ・・・電源制御回路
１００ｆ・・・電池
１００ｇ・・・通信回路
２００・・・・・トラップ作動状態提供装置
３００・・・・・トラップ作動状態提供装置
【図１】
2015176508.tif 000003
【図２】
2015176508.tif 000004
【図３】
2015176508.tif 000005
【図４】
2015176508.tif 000006
【図５】
2015176508.tif 000007
【図６】
2015176508.tif 000008
【図７】
2015176508.tif 000009
【図８】
2015176508.tif 000010